(57)【要約】【課題】養液中に直接オゾンを生成して養液の殺菌が可能な養液栽培設備および養液栽培方法を提供すること。【解決手段】植物が配置される栽培ベッド１と、栽培ベッド１に供給する養液を貯留する養液タンク２と、オゾンを発生させるオゾン殺菌装置３と、養液タンク２からオゾン殺菌装置３に養液を送り、オゾン殺菌装置３から養液タンク２に養液を戻す養液殺菌経路１２とを備えている。そして、オゾン殺菌装置３において養液中に直接オゾンを生成し、養液を殺菌することができる。【選択図】図１
2011000070.tif 000002
【特許請求の範囲】
【請求項１】
植物が配置される栽培ベッドと、
前記栽培ベッドに供給する養液を貯留する養液タンクと、
オゾン殺菌装置と、
前記養液タンクから前記オゾン殺菌装置に前記養液を送り、前記オゾン殺菌装置から前記養液タンクに前記養液を戻す養液殺菌経路と、
を備えていることを特徴とする養液栽培設備。
【請求項２】
前記オゾン殺菌装置は、
電解質膜と前記電解質膜の一方に設けられた陽極側流路と前記電解質膜の他方に設けられた陰極側流路とを有し、前記陽極側流路にオゾンを発生させ、
前記養液殺菌経路は、前記養液タンクから前記オゾン殺菌装置の前記陽極側流路に前記養液を送り、前記陽極側流路から前記養液タンクに前記養液を戻すことを特徴とする請求項１に記載の養液栽培設備。
【請求項３】
前記養液殺菌経路は、前記養液タンクから前記オゾン殺菌装置の前記陽極側流路を経由して前記栽培ベッドに前記養液を供給し、前記栽培ベッドから前記養液タンクに前記養液を戻すことを特徴とする請求項２に記載の養液栽培設備。
【請求項４】
前記養液タンクにアルカリ性物質を添加するアルカリ供給手段を設けたことを特徴とする請求項１〜３の何れかに記載の養液栽培設備。
【請求項５】
前記養液殺菌経路は、前記養液タンクから前記オゾン殺菌装置の前記陽極側流路および前記陰極側流路の順序で経由して前記栽培ベッドに前記養液を供給し、前記栽培ベッドから前記養液タンクに前記養液を戻すことを特徴とする請求項２に記載の養液栽培設備。
【請求項６】
前記陰極側流路を酸により洗浄する酸洗浄手段を設けたことを特徴とする請求項２〜５の何れかに記載の養液栽培設備。
【請求項７】
栽培ベッドに供給する養液を貯留する養液タンクからオゾン殺菌装置に前記養液を送り、
前記オゾン殺菌装置において、電解により前記養液中にオゾンを発生させ、
前記オゾン殺菌装置から前記養液タンクに前記養液を戻すことを特徴とする、養液栽培方法。
【請求項８】
前記オゾン殺菌装置は、
電解質膜と前記電解質膜の一方に設けられた陽極側流路と前記電解質膜の他方に設けられた陰極側流路とを有し、
栽培ベッドに供給する養液を貯留する養液タンクから前記オゾン殺菌装置の前記陽極側流路に前記養液を送り、
前記陽極側流路において、電解により前記養液中にオゾンを発生させ、
前記陽極側流路から前記養液タンクに前記養液を戻すことを特徴とする、請求項７に記載の養液栽培方法。
【請求項９】
前記陽極側流路において、電解により前記養液中にオゾンを発生させた後、
前記陽極側流路から前記栽培ベッドに前記養液を供給し、
前記栽培ベッドから前記養液タンクに前記養液を戻すことを特徴とする、請求項８に記載の養液栽培方法。
【請求項１０】
前記陽極側流路において、電解により前記養液中にオゾンを発生させた後、
前記陽極側流路から前記オゾン殺菌装置の前記陰極側流路に前記養液を送り、
前記陰極側流路から前記栽培ベッドに前記養液を供給し、
前記栽培ベッドから前記養液タンクに前記養液を戻すことを特徴とする、請求項８に記載の養液栽培方法。
【発明の詳細な説明】
【技術分野】
【０００１】
本発明は、養液栽培設備および養液栽培方法に関する。さらに詳しくは、養液そのものや養液栽培設備の消毒・殺菌にオゾンを利用して、栽培する植物の病害防除を行う養液栽培設備および養液栽培方法に関する。
【背景技術】
【０００２】
養液栽培とは、固形培地や水中に根系を形成させ、生育に必要な栄養成分を液肥と希釈水とを所定比率で混合した養液（培養液）を介して与えて、土壌を用いることなく作物などの植物を栽培する栽培方法のことをいう。養液栽培で発生する植物の主な病害としては、青枯病、萎ちょう病、根腐病などがあり、これら病害における病害虫の侵入経路の多くは、種子による伝染、空気中からの伝染、水や養液による伝染、および育苗資材やホース・水道管などからの伝染、と言われている。特に、栽培ベッド内や養液タンク内の養液に病原菌が混入した場合には、壊滅的な被害に拡大することがあり、これが養液栽培の生産安定や面積拡大の阻害要因の一つとなっている。さらに、現在、登録農薬がないため十分な消毒は不可能とされてきた。また、病害防除の対策として、紫外線照射による方法、超音波による方法、加熱殺菌による方法などが研究されているが、いずれも実用化技術に至っていない。このような実情の下、近年、紫外線照射による方法、超音波による方法、加熱殺菌による方法などに替え、オゾンを用いた消毒・殺菌による方法が検討されている。例えば、下記のような方法が挙げられる。
【０００３】
従来、マイナスイオンおよびオゾン含有ガスを培養液中に注入混和して培養液を消毒活性化する水耕栽培用培養液の消毒方法が知られている（例えば、特許文献１参照）。この特許文献１に記載の消毒方法では、マイナスイオンおよびオゾン含有ガスを培養液調整槽内の培養液中に注入混和して培養液を消毒活性化し、また水耕用培養液の酸素富化をはかるために培養液の一部を培養液調整槽内で曝気している。
【０００４】
また、養液タンクと栽培ベッドとの間で養液を循環させる養液栽培装置の殺菌装置も知られている（例えば、特許文献２参照）。この特許文献２に記載の殺菌装置は、インジェクタによりオゾンガスを養液中に吹き込む槽と、その槽から越流した養液中にさらに空気を吹き込み溶解されている未分解オゾンガスの分解を促進する槽とから構成された殺菌槽を有し、その殺菌槽の上部に未溶解オゾンガスの分解処理部（触媒分解および触媒加熱ヒータ）を設けたものである。
【０００５】
さらに、脱塩処理した原水を用いて調整した養液を栽培ベッドに供給し、栽培ベッドからの余剰の養液排水を中空糸膜からなる除菌装置で除菌して養液を循環使用する養液栽培方法も知られている（例えば、特許文献３参照）。この特許文献３に記載の養液栽培方法では、植物生育が不活発になる夜間に、養液が流れる配管やタンクの内部にオゾンを含有する液を流して、それらに付着するバイオフィルムを除去するなどの殺菌を行っている。尚、オゾンを含有する液は、ミキシングポンプにより脱塩した原水中にオゾンガスを注入混合して生成されている。
【先行技術文献】
【特許文献】
【０００６】
【特許文献１】特開平０３−２３６７２８号公報
【特許文献２】特開平０５−３３６８５６号公報
【特許文献３】特開２００１−２９９１１６号公報
【発明の概要】
【発明が解決しようとする課題】
【０００７】
しかしながら、特許文献１に記載された水耕栽培用培養液の消毒方法では、培養液中に溶解されなかったオゾンガスが、培養液調整槽上部の排ガスパイプを経由して栽培ベッドが設置されている栽培施設内の空気中に排出されるので、植物のクロロシス（白化）などの障害が生じる。また、植物のみならず、作業環境中にオゾンガスが蓄積すると、作業者への影響も認められる場合がある。さらに、培養液調整槽内の培養液中に直接オゾンガスを吹き込み混合するため、高濃度のオゾンガスが培養液に接触し、培養液中の微量成分が酸化物を生成し、その結果酸化物が沈殿物として析出し培養液組成が大きく変化して、植物に栄養障害が発生する可能性もある。なお、培養液の成分中、マンガン＞鉄＞カルシウムの順に酸化されやすいが、高濃度のオゾンガスは比較的酸化されにくいカルシウムまでも酸化するため、栄養障害が甚大となりやすい。
【０００８】
また、特許文献２に記載された養液栽培装置の殺菌装置においても、特許文献１に記載された消毒方法と同様、養液中に直接オゾンガスを吹き込み混合するため、養液組成が大きく変化して植物に栄養障害が発生する可能性がある。また、この殺菌装置は、養液中に空気注入することで未溶解のオゾンガスを養液中から除去するため、オゾンガスの分解装置が必要となる。また、オゾンガスを積極的に養液中から除外するため、オゾンガス分解装置が本技術の危険回避、安全確保の生命線となり、一般の農家で管理するには困難を伴う。さらに、養液中への空気注入によって養液中にはオゾンが残留していないため、養液に関しては殺菌できたとしても、栽培ベッドに発生した病原菌の殺菌は難しく、特に植物の根系に付着した病原菌の殺菌は困難で病害防除効果は不十分となる。
【０００９】
また、特許文献３に記載された養液栽培方法は、特許文献１、２に記載された技術のように養液を直接オゾンガスで殺菌するものではないが、ミキシングポンプにより溶解度の小さいオゾンガスを原水（ＲＯ水）中に注入しているため、未溶解のオゾンガスを含んだ液が栽培ベッドに供給される。そのため、栽培ベッドにおいて配管からオゾンを含有した液が散布されると、未溶解のオゾンガスが栽培施設内の空気中に排出され、オゾンガスによる植物の障害が生じる。なお、０．３ｐｐｍのオゾンガス濃度で植物に致命的な障害を与えるとされている。また、本技術は、養液中の塩分濃縮防止のための脱塩用ＲＯ膜設備、除菌のための中空糸膜設備など、機器構成の多い複雑な構成であり、設備のメンテナンスを含め非現実的な設備である。さらに、特許文献３に記載の実施例では固形培地を使用する方式を対象としているため、配管やタンク内部の殺菌が可能であっても固形培地内に生存する病原菌の殺菌までは難しい。固形培地内に生存する病原菌の殺菌を可能とするためには、比較的大量のオゾン含有水を供給することが必要であり、オゾンガスによる植物への障害を増加させる結果となってしまう。また、固形培地を用いる養液栽培においては、養液を供給する配管に酸化物が堆積し、配管或いはノズルを閉塞させる原因になっている。
【００１０】
本発明は、上記実情に鑑みてなされたものであって、従来のオゾンガスを発生させてから水中にオゾンを溶解させる工程を必要とせずに、養液中に直接オゾンを生成して養液の殺菌が可能な養液栽培設備および養液栽培方法を提供することである。
【課題を解決するための手段】
【００１１】
本発明は、養液栽培設備および養液栽培方法に関する。そして、本発明に係る養液栽培設備および養液栽培方法は、上記課題を解決するために以下のようないくつかの特徴を有している。すなわち、本発明の養液栽培設備および養液栽培方法は、以下の特徴を単独で、若しくは、適宜組み合わせて備えている。
【００１２】
上記課題を達成するための第１の発明に係る養液栽培設備は、植物が配置される栽培ベッドと、前記栽培ベッドに供給する養液を貯留する養液タンクと、オゾン殺菌装置と、前記養液タンクから前記オゾン殺菌装置に前記養液を送り、前記オゾン殺菌装置から前記養液タンクに前記養液を戻す養液殺菌経路と、を備えていることを特徴とするものである。
【００１３】
この構成によると、養液中に直接オゾンを生成することができる。そして、このオゾンにより養液を瞬時に殺菌することができるため、任意の残留溶解オゾン濃度で殺菌された養液（以下、便宜、電解処理養液と記載する）が生成される。この電解処理養液は、従来のようにオゾンガスを水中に吹き込み溶解させて生成するオゾン水（以下、適宜、ガス溶解オゾン水と記載する）に比して、揮散するオゾンガス量が極めて少ない。このため、植物のクロロシス（白化）などのオゾンガスによる植物障害を防止することができる。
【００１４】
また、当該養液栽培設備では、電解処理養液が養液タンクに戻るように構成されている。このため、特許文献１、２に開示された従来技術のように、オゾンガスが発生することがないため過剰なオゾンガスが養液に接触することはなく、その結果、オゾンによる養液殺菌において養液組成が大きく変化することはない。
【００１５】
また、栽培ベッドに供給する養液中にオゾン殺菌装置を使って直接オゾンを生成することができる。そして、養液から直接オゾンを生成するため、養液由来の病原菌の殺菌を確実に達成できる。すなわち、殺菌に必要なオゾンを、瞬時に確実な再現性をもって得られることから、確実な殺菌効果が得られ、養液を汚染源とした病害の発生を防除できる。
【００１６】
また、電解処理養液が養液タンクから栽培ベッドに供給されるため、栽培ベッドに配置された植物に付着した菌の増加を抑制することができ、病害の発生を防除することができる。
【００１７】
このように、従来のようなガス溶解オゾン水での「オゾンガスを発生させてから水中にオゾンを溶解させる」工程や「生成したオゾン水を培養液と混合する」工程を必要とせずに、直接的に養液の殺菌が可能となる。また、養液タンク内の養液がオゾン殺菌装置を経由してオゾンにより殺菌された後、再度養液タンクに戻る工程を繰り返しながら、当該養液栽培設備全体に使用される養液全量を殺菌処理することができる。
【００１８】
第２の発明に係る養液栽培設備は、第１の発明において、前記オゾン殺菌装置は、電解質膜と前記電解質膜の一方に設けられた陽極側流路と前記電解質膜の他方に設けられた陰極側流路とを有し、前記陽極側流路にオゾンを発生させ、前記養液殺菌経路は、前記養液タンクから前記オゾン殺菌装置の前記陽極側流路に前記養液を送り、前記陽極側流路から前記養液タンクに前記養液を戻すことを特徴とするものである。
【００１９】
この構成によると、栽培ベッドに供給する養液をオゾン殺菌装置の陽極側流路内で電気分解して養液中に直接オゾンを生成することができる。そして、養液から直接オゾンを生成するため、養液由来の病原菌の殺菌を確実に達成できる。すなわち、殺菌に必要なオゾンを、オゾン殺菌装置の陽極側流路内での電解反応によって、瞬時に確実な再現性をもって得られることから、確実な殺菌効果が得られ、養液を汚染源とした病害の発生を防除できる。
【００２０】
また、オゾン殺菌装置の陽極側流路内での電気分解により養液中に電流が流れるため、電気的なショックにより養液中の病原菌等への殺菌効果を向上させることができる。
【００２１】
また、養液中に硫酸塩・硝酸塩・リン酸塩等が含まれる場合には、養液中に含まれた硫酸塩・硝酸塩・リン酸塩等が陽極側流路において電気分解することにより養液中のｐＨ値が低下し（酸性化）、養液を養液タンクに貯留しても、菌数の増加を抑制でき、殺菌効果を維持することができる。
【００２２】
第３の発明に係る養液栽培設備は、第２の発明において、前記養液殺菌経路は、前記養液タンクから前記オゾン殺菌装置の前記陽極側流路を経由して前記栽培ベッドに前記養液を供給し、前記栽培ベッドから前記養液タンクに前記養液を戻すことを特徴とするものである。
【００２３】
この構成によると、オゾン殺菌装置が、栽培ベッドの手前に配置されているため、栽培ベッドに配置された植物に養液が供給される手前で殺菌処理をすることができる。また、オゾン殺菌装置と栽培ベッドとが同じ養液殺菌経路上に配置されているため、養液栽培設備の構成を簡単なものとすることができる。
【００２４】
第４の発明に係る養液栽培設備は、第１〜第３の何れかの発明において、前記養液タンクにアルカリ性物質を添加するアルカリ供給手段を設けたことを特徴とするものである。
【００２５】
養液中に硫酸塩・硝酸塩・リン酸塩等が含まれる場合には、養液中に含まれた硫酸塩・硝酸塩・リン酸塩等が陽極側流路において電気分解することにより養液中のｐＨ値が低下し酸性化する。ある程度の酸性化は、菌数の増加を抑制でき、殺菌効果を維持するのに効果を発揮するが、養液中のｐＨ値が低下しすぎる（極度の酸性化）と栽培された植物に酸による障害が生じる場合がある。そこで、上記構成により、養液タンクにアルカリ性物質を添加するアルカリ供給手段を設けることにより、酸性化した養液にアルカリ性物質を添加して養液を中和して、植物の酸による障害を回避することができる。なお、ここで使用されるアルカリ性物質には、水酸化カリウムや水酸化ナトリウムなどが上げられる。また、この場合でも、養液は一旦酸性となるため、ｐＨ値の低下による殺菌効果も期待できる。
【００２６】
第５の発明に係る養液栽培設備は、第２の発明において、前記養液殺菌経路は、前記養液タンクから前記オゾン殺菌装置の前記陽極側流路および前記陰極側流路の順序で経由して前記栽培ベッドに前記養液を供給し、前記栽培ベッドから前記養液タンクに前記養液を戻すことを特徴とするものである。
【００２７】
この構成によると、養液を陽極側流路および陰極側流路の順序で栽培ベッドに供給することができる。そして、陽極側流路において電気分解されてｐＨ値が低下した（酸性化）養液を、陰極側流路において電気分解することで、中和することができる。このため、アルカリ性物質などを添加せずに、養液中のｐＨ値を中和して植物の酸による障害を回避することができる。
【００２８】
第６の発明に係る養液栽培設備は、第２〜第５の何れかの発明において、前記陰極側流路を酸により洗浄する酸洗浄手段を設けたことを特徴とするものである。
【００２９】
オゾン殺菌装置での長時間の電解処理に伴い陰極側流路内に設けられた陰極電極に付着した不純物により電解電圧が上昇してしまい長時間の養液栽培設備の連続運転ができない場合がある。そこで、酸洗浄手段を設けて陰極側流路を酸洗浄することで陰極電極に付着した不純物を溶解除去し、電解電圧を低下させて長時間の養液栽培設備の連続運転を可能とすることができる。
【００３０】
第７の発明に係る養液栽培方法は、栽培ベッドに供給する養液を貯留する養液タンクからオゾン殺菌装置に前記養液を送り、前記オゾン殺菌装置において、電解により前記養液中にオゾンを発生させ、前記オゾン殺菌装置から前記養液タンクに前記養液を戻すことを特徴とするものである。
【００３１】
この方法によると、栽培ベッドに供給する養液中にオゾン殺菌装置を使って直接オゾンを生成することができる。そして、養液から直接オゾンを生成するため、養液由来の病原菌の殺菌を確実に達成できる。すなわち、殺菌に必要なオゾンを、瞬時に確実な再現性をもって得られることから、確実な殺菌効果が得られ、養液を汚染源とした病害の発生を防除できる。
【００３２】
また、電解処理養液が養液タンクから栽培ベッドに供給されるため、栽培ベッドに配置された植物に付着した菌の増加を抑制することができ、病害の発生を防除することができる。
【００３３】
このように、従来のようなガス溶解オゾン水での「オゾンガスを発生させてから水中にオゾンを溶解させる」工程や「生成したオゾン水を培養液と混合する」工程を必要とせずに、直接的に養液の殺菌が可能となる。また、養液タンク内の養液がオゾン殺菌装置を経由してオゾンにより殺菌された後、再度養液タンクに戻る工程を繰り返しながら、当該養液栽培設備全体に使用される養液全量を殺菌処理することができる。
【００３４】
第８の発明に係る養液栽培方法は、第７の発明において、前記オゾン殺菌装置は、電解質膜と前記電解質膜の一方に設けられた陽極側流路と前記電解質膜の他方に設けられた陰極側流路とを有し、栽培ベッドに供給する養液を貯留する養液タンクから前記オゾン殺菌装置の前記陽極側流路に前記養液を送り、前記陽極側流路において、電解により前記養液中にオゾンを発生させ、前記陽極側流路から前記養液タンクに前記養液を戻すことを特徴とするものである。
【００３５】
この方法によると、栽培ベッドに供給する養液をオゾン殺菌装置の陽極側流路内で電気分解して養液中に直接オゾンを生成することができる。そして、養液から直接オゾンを生成するため、養液由来の病原菌の殺菌を確実に達成できる。すなわち、殺菌に必要なオゾンを、オゾン殺菌装置の陽極側流路内での電解反応によって、瞬時に確実な再現性をもって得られることから、確実な殺菌効果が得られ、養液を汚染源とした病害の発生を防除できる。また、従来のようなガス溶解オゾン水での「オゾンガスを発生させてから水中にオゾンを溶解」の工程や「生成したオゾン水を培養液と混合する」工程を必要とせずに、直接的に養液の殺菌が可能となる。また、養液タンク内の養液がオゾン殺菌装置の陽極側流路を経由して電解殺菌されて後再度養液タンクに戻る工程を繰り返しながら、当該養液栽培設備全体に使用される養液全量を殺菌処理することができる。
【００３６】
第９の発明に係る養液栽培方法は、第８の発明における前記陽極側流路において、電解により前記養液中にオゾンを発生させた後、前記陽極側流路から前記栽培ベッドに前記養液を供給し、前記栽培ベッドから前記養液タンクに前記養液を戻すことを特徴とするものである。
【００３７】
この方法によると、栽培ベッドに配置された植物に養液が供給される手前で殺菌処理をすることができる。
【００３８】
第１０の発明に係る養液栽培方法は、第８の発明における前記陽極側流路において、電解により前記養液中にオゾンを発生させた後、前記陽極側流路から前記オゾン殺菌装置の前記陰極側流路に前記養液を送り、前記陰極側流路から前記栽培ベッドに前記養液を供給し、前記栽培ベッドから前記養液タンクに前記養液を戻すことを特徴とするものである。
【００３９】
この方法によると、養液を陽極側流路および陰極側流路の順序で栽培ベッドに供給することができる。そして、陽極側流路において電気分解されてｐＨ値が低下した（酸性化）養液を、陰極側流路において電気分解することで、中和することができる。このため、アルカリ性物質などを使用せずに、養液中のｐＨ値を中和して植物の酸による障害を回避することができる。
【発明の効果】
【００４０】
従来のようなガス溶解オゾン水での「オゾンガスを発生させてから水中にオゾンを溶解させる」工程や「生成したオゾン水を培養液と混合する」工程を必要とせずに、直接的に養液の殺菌が可能となる。また、養液タンク内の養液がオゾン殺菌装置を経由してオゾンにより殺菌された後、再度養液タンクに戻る工程を繰り返しながら、当該養液栽培設備全体に使用される養液全量を殺菌処理することができる。
【図面の簡単な説明】
【００４１】
【図１】本発明の第１実施形態に係る養液栽培設備を示すブロック図である。
【図２】オゾン殺菌装置における電気分解処理前後の養液内の菌数を示すグラフである。
【図３】養液タンク内の時間経過に伴う菌数の変化及び養液のｐＨ値の変化を示したグラフである。
【図４】本発明の第２実施形態に係る養液栽培設備を示すブロック図である。
【図５】本発明の第３実施形態に係る養液栽培設備を示すブロック図である。
【図６】本発明の第４実施形態に係る養液栽培設備を示すブロック図である。
【図７】本発明の第５実施形態に係る養液栽培設備を示すブロック図である。
【図８】本発明の第６実施形態に係る養液栽培設備を示すブロック図である。
【図９】オゾン殺菌装置における電気分解処理の時間経過に伴う養液のｐＨ値及び電解電圧の変化を表すグラフである。
【図１０】本発明の第７実施形態に係る養液栽培設備を示すブロック図である。
【発明を実施するための形態】
【００４２】
以下、本発明を実施するための形態について図面を参照しつつ説明する。尚、本発明の養液栽培設備および養液栽培方法は、固形培地耕、湛液型水耕、およびＮＦＴ方式の養液栽培などのいずれの方式の養液栽培に対しても適用できる養液栽培設備および養液栽培方法である。
【００４３】
（第１実施形態）
図１は、本発明の第１実施形態に係る養液栽培設備１００を示すブロック図である。
【００４４】
図１に示すように、本実施形態に係る養液栽培設備１００は、植物が配置される栽培ベッド１と、栽培ベッド１に供給する養液を貯留する養液タンク２と、養液に所定の電流値の電流を印加して電解処理するオゾン殺菌装置３と、養液タンク２内の養液の濃度調整（いわゆるＥＣ調整）のために養液タンク２に供給する液肥を貯留する追肥タンク４と、後述するオゾン殺菌装置３の陰極側流路３５を酸洗浄するためのクエン酸を貯留する洗浄剤タンク５（酸洗浄手段）とを備えている。そして、これら各装置は、配管などの経路で相互に連結されている。養液給排経路１０および１１は、それぞれ、養液タンク２と栽培ベッド１とを連結する経路である。養液殺菌経路１２は、養液タンク２とオゾン殺菌装置３とを連結する経路である。そして、養液殺菌経路１２は、後述するオゾン殺菌装置３の陽極側流路３４を通過するように構成されている。また、経路１３は、追肥タンク４と養液タンク２とを連結する経路である。さらに、洗浄経路１４は、洗浄剤タンク５とオゾン殺菌装置３とを連結する経路である。そして、洗浄経路１４（酸洗浄手段）は、後述するオゾン殺菌装置３の陰極側流路３５を通過するように構成されている。
【００４５】
養液殺菌経路１２には、その上流側から、供給ポンプＰ１、逆止弁４０が取り付けられている。逆止弁４０は、養液殺菌経路１２の養液の逆流を防止するための弁である。また、養液給排経路１０および１１の上流側端部には、養液供給ポンプＰ２が接続され、養液供給ポンプＰ２は、養液タンク２内底部に設置されている。また、洗浄経路１４には、その上流側から、供給ポンプＰ３、逆止弁４１が取り付けられている。逆止弁４１は、洗浄経路１４内のクエン酸の逆流を防止するための弁である。
【００４６】
次に、図１に示すオゾン殺菌装置３について説明する。図１に示すように、このオゾン殺菌装置３は、固形電解質膜３１（電解質膜）と、その一方に設けられた陽極側流路３４と、他方に設けられた陰極側流路３５と、陽極電極３２と、陰極電極３３とを備えており、直流電圧が印加される陽極電極３２が、陽極側流路３４内で固形電解質膜３１と接触するように配置され、直流電圧が印加される陰極電極３３が、陰極側流路３５内で固形電解質膜３１と接触するように配置されている。そして、陽極側流路３４に供給された養液を電気分解して、陽極側流路３４内においてオゾンを生成するように構成されている。なお、陰極側流路３５には、洗浄経路１４を経由して洗浄剤タンク５内のクエン酸が供給され、陰極側流路３５内に配置された陰極電極３３を酸洗浄する。
【００４７】
即ち、オゾン殺菌装置３においては、ガス溶解オゾン水生成における、「オゾンガスを発生させた後、そのオゾンガスを水中に吹き込んで溶解させる」、という工程や、「生成したオゾン水を培養液と混合する」、という工程を必要とせずに、養液に含まれた水の電気分解に基づき電解処理養液を生成できる。尚、陽極側流路３４内においては、養液の電気分解により酸素も発生するため、生成された電解処理養液は、ガス溶解オゾン水に比して溶存酸素濃度が高くなる。また、当該オゾン殺菌装置３によると、電気分解する際の電解電流の値により、利用範囲で任意の残留溶解オゾン濃度の電解処理養液を得ることができる。
【００４８】
次に、図１に基づいて本実施形態の養液栽培設備１００の動作（本設備を用いた養液栽培方法）を説明する。
【００４９】
養液栽培設備１００が作動されると、まず、所定時間（例えば、２０分間：殺菌時間）、供給ポンプＰ１により養液を養液タンク２からオゾン殺菌装置３の陽極側流路３４に養液殺菌経路１２を経由して供給する。そして、陽極側流路３４内で電気分解により養液中にオゾンを発生させ、電解処理養液を生成する。なお、上記所定時間（２０分間：殺菌時間）経過後所定時間（例えば、５分間：酸洗浄時間）、陰極側流路３５には、供給ポンプＰ３により洗浄経路１４を経由して洗浄剤タンク５内に貯留されたクエン酸を含んだ水が供給され、陰極側流路３５内を酸洗浄する。これは、陰極電極３３に付着した不純物を溶解除去し、電気分解時の電圧を一定に維持し長時間の養液栽培設備の連続運転を可能とするためである。
【００５０】
そして、陽極側流路３４から養液タンク２に養液殺菌経路１２を経由して電解処理養液が戻される。また、追肥タンク４からは、適時液肥が経路１３を介して養液タンク２に供給される。
【００５１】
そして、定期的に養液タンク２から栽培ベッド１へ養液給排経路１０を介して、養液タンク２内の電解処理養液と液肥を含んだ養液を養液供給ポンプＰ２により栽培ベッド１へ供給する。養液タンク２内の電解処理養液と液肥を含んだ養液を栽培ベッド１に供給することにより、栽培ベッド１に配置された植物への栄養成分の供給を行うと共に、栽培ベッド１を構成する栽培タンク、ベッド、配管などの設備資材を電解処理養液の残留溶解オゾンによって殺菌処理を行うことができる。なお、養液供給ポンプＰ２は養液タンク２内の養液に浸漬された、いわゆる水中ポンプに限るものではなく、養液タンク２外に配設された送水ポンプでもよい。また、洗浄剤タンク５内に貯留された酸はクエン酸に限られず、クエン酸以外の有機酸や、その有機酸に中性塩を添加したものでもよい。
【００５２】
栽培ベッド１で植物に吸収されずに栽培ベッド１から排出された養液は、養液給排経路１１を経由して養液タンク２に戻り、養液タンク２内で追肥タンク４から供給される液肥及びオゾン殺菌装置３から供給される電解処理養液を含んだ養液と混合されて、養液タンク２と栽培ベッド１との間で循環使用される。栽培ベッド１から養液タンク２に戻された養液は、病原菌などに汚染されている場合があるが、オゾン殺菌装置３に供給される過程で電解により直接殺菌されることに加えて、オゾン殺菌装置３から養液タンク２に供給される電解処理養液の残留溶解オゾンによって殺菌されるので、養液の循環使用に伴う病原菌などによる汚染は防止できる。
【００５３】
このようにオゾン殺菌装置３に生成された電解処理養液は、養液給排経路１０を経由して栽培ベッド１に供給される。供給された電解処理養液により、栽培ベッド１を構成する栽培タンク、ベッド、配管などの設備資材、ならびに植物の根系も洗浄、殺菌されるため、栽培ベッド１および植物に付着する病原菌を殺菌でき発病を抑制できる。すなわち、電解処理養液を適宜、栽培ベッド１に直接供給して、ベッド、配管などの設備資材および植物を殺菌することにより、水や養液からの病原菌の植物への伝染、育苗資材、ホース、配管などからの病原菌の植物への伝染、などの病害を効果的に防除することが可能となり、病害の発生防止、拡大防止が可能である。特に、定期的に栽培ベッド１に電解処理養液を供給することで、病原菌の温床であるバイオフィルムの形成を防止できる。また、湛液方式養液栽培、或いはＮＦＴ養液栽培システムでは、植物の根系が直接、養液に触れるため、これら方式の養液栽培に、定期的に電解処理養液を栽培ベッド１へ供給する構成を採用すれば、根に付着する病原菌由来の病害（根腐病、黒根病など）の防除効果をより高めることができる。
【００５４】
ここで、図２は、オゾン殺菌装置３における電気分解処理前後の養液内の菌数を示すグラフである。図２の左のグラフは、電気分解処理前の養液内の菌数を示すものであり、図２の右のグラフは、電気分解処理直後の養液（電解処理養液）内の菌数を示すものである。また、縦軸は、菌の数（一般細菌の数）を示している（ＣＦＵ／ｍＬ）。オゾン殺菌装置３への養液の供給量は、３リッター／ｍｉｎであり、電気分解する際の電解電流の値は、４０Ａであった。また、図３は、養液タンク２内の時間経過に伴う菌数の変化及び養液のｐＨ値の変化を示したグラフである。横軸は、オゾン殺菌装置３で電気分解してからの時間経過（ｍｉｎ）であり（処理時間）、縦軸は、養液タンク２内の菌数（ｌｏｇ１０ＣＦＵ／ｍＬ）及び養液のｐＨ値である。
【００５５】
図２に示すように、電気分解処理前の養液内の初発菌数は、１０４ＣＦＵ／ｍＬであるが、電気分解処理直後の養液内の菌数は、１０１ＣＦＵ／ｍＬ以下にまで減少している。即ち、養液がオゾン殺菌装置３を通過するわずかの時間で、その養液中の菌数が急激に減少している。また、図３に示すように、電気分解処理前の養液タンク２内の初発菌数は、１０４ＣＦＵ／ｍＬであったのに対し、約６０分で養液タンク２内の菌数は、検出限界以下にまで減少している。また、電気分解処理前の養液タンク２内の養液のｐＨ値は、ｐＨ７であったのに対して、約６０でｐＨ値がｐＨ３にまで低下して酸性化している。
【００５６】
このように、養液タンク２内の養液がオゾン殺菌装置３を経由して殺菌された後、再度養液タンク２に戻る工程を繰り返しながら、当該養液栽培設備１００全体に使用される養液全量及び養液栽培設備１００全体を殺菌処理することができる。
【００５７】
以上説明した第１実施形態によると、栽培ベッド１に供給する養液をオゾン殺菌装置３の陽極側流路３４内で電気分解して養液中に直接オゾンを生成することができる。そして、養液から直接オゾンを生成するため、養液由来の病原菌の殺菌を確実に達成できる。また、オゾン殺菌装置３の陽極側流路３４内での電気分解により養液中に電流が流れるため、電気的なショックにより養液中の病原菌等への殺菌効果を向上させることができる。また、養液中の液肥に硫酸塩・硝酸塩・リン酸塩等が含まれる場合には、養液中に含まれた硫酸塩・硝酸塩・リン酸塩等が陽極側流路３４において電気分解することにより養液中のｐＨ値が低下し（酸性化）、養液を養液タンク２に貯留しても、菌数の増加を抑制でき、殺菌効果を維持することができる。
【００５８】
（第２実施形態）
図４は、本発明の第２実施形態に係る養液栽培設備２００を示すブロック図である。尚、以下の説明においては、上述の第１実施形態に係る養液栽培設備１００と同一の構成部材については同一の符号を付し、その説明を適宜省略する。
【００５９】
第２実施形態と第１実施形態との主要な相違点は、図４に示すように、第２実施形態では、養液タンク２からオゾン殺菌装置３の陽極側流路３４を経由して栽培ベッド１に養液を供給し、栽培ベッド１から養液タンク２に養液を戻す構成になっている点である。即ち、養液タンク２と栽培ベッド１との間の養液給排経路１０中にオゾン殺菌装置３が設けられている点が第１実施形態との相違点である。
【００６０】
具体的には、養液給排経路１０（養液殺菌経路）は、養液タンク２内の養液をオゾン殺菌装置３を経由して栽培ベッド１に供給する経路としている。養液給排経路１１（養液殺菌経路）は、栽培ベッド１と養液タンク２とを連結する経路である。そして、養液給排経路１０は、オゾン殺菌装置３の陽極側流路３４を通過するように構成されている。また、経路１３は、追肥タンク４と養液タンク２とを連結する経路である。さらに、洗浄経路１４は、洗浄剤タンク５とオゾン殺菌装置３とを連結する経路である。そして、洗浄経路１４は、オゾン殺菌装置３の陰極側流路３５を通過するように構成されている。
【００６１】
上記第２実施形態の養液栽培設備２００によれば、オゾン殺菌装置３が、栽培ベッド１の手前に配置されているため、栽培ベッド１に配置された植物に養液が供給される手前で電解処理養液による殺菌処理をすることができる。また、オゾン殺菌装置３と栽培ベッド１とが同じ経路上に配置されているため、養液栽培設備２００の構成を簡単なものとすることができる。
【００６２】
なお、第２実施形態に係る養液栽培設備２００では、オゾン殺菌装置３と栽培ベッド１とが同じ経路上に配置されているため、栽培ベッド１への養液の供給時に養液の殺菌処理することができるという利点がある。これに対し、第１実施形態に係る養液栽培設備１００では、オゾン殺菌装置３を経由する経路が、栽培ベッド１を経由していないため養液タンク２の養液を個別に殺菌することができる。即ち、便宜、必要に応じて養液の殺菌処理を実行することができるという利点がある。
【００６３】
（第３実施形態）
図５は、本発明の第３実施形態に係る養液栽培設備３００を示すブロック図である。尚、以下の説明においては、上述の第１実施形態に係る養液栽培設備１００と同一の構成部材については同一の符号を付し、その説明を適宜省略する。
【００６４】
第３実施形態と第１実施形態との主要な相違点は、図５に示すように、第３実施形態では、アルカリ供給手段としての水酸化ナトリウム又は水酸化カリウム等のアルカリ性物質を貯留するアルカリ水貯水槽３０１と、養液タンク２にアルカリ水を供給するアルカリ水供給経路３０２と、養液タンク２内の養液のｐＨ値を計測するｐＨ値測定器３０３とを設けた点にある。
【００６５】
追肥タンク４から養液タンク２内の養液中に供給される液肥に硫酸塩・硝酸塩等が含まれる場合には、養液中に含まれた硫酸塩・硝酸塩等が陽極側流路３４において電気分解することにより養液中のｐＨ値が低下し酸性化する。ある程度の酸性化は、菌数の増加を抑制でき、殺菌効果を維持するのに効果を発揮するが、養液中のｐＨ値が低下しすぎる（極度の酸性化）と栽培ベッド１に栽培された植物に酸による障害が生じる場合がある。
【００６６】
そこで、上記第３実施形態の養液栽培設備３００によれば、上記構成により、酸性化した養液にアルカリ性物質を添加して養液を中和して、植物の酸による障害を回避することができる。ここで、ｐＨ値測定器３０３の値が所定の値（例えば、ｐＨ４未満）になった場合に、上記アルカリ性物質が、アルカリ水貯水槽３０１から養液タンク２に添加される。なお、ここで使用されるアルカリ性物質には、水酸化カリウムや水酸化ナトリウムなどが上げられる。この場合でも、養液は一旦酸性となるため、ｐＨ値の低下による殺菌効果が期待できる。
【００６７】
（第４実施形態）
図６は、本発明の第４実施形態に係る養液栽培設備４００を示すブロック図である。尚、以下の説明においては、上述の第１実施形態に係る養液栽培設備１００と同一の構成部材については同一の符号を付し、その説明を適宜省略する。
【００６８】
第４実施形態と第１実施形態との主要な相違点は、図６に示すように、第４実施形態では、養液タンク２からオゾン殺菌装置３の陽極側流路３４および陰極側流路３５の順序で経由して栽培ベッド１に養液を供給し、栽培ベッド１から養液タンク２に養液を戻す構成になっている点である。なお、本実施形態では、洗浄経路１４及び洗浄剤タンク５は備えていない。
【００６９】
具体的には、養液給排経路１０（養液殺菌経路）は、養液タンク２内の養液を養液タンク２からオゾン殺菌装置３の陽極側流路３４および陰極側流路３５の順序で経由させて栽培ベッド１に養液を供給する経路である。養液給排経路１１は、栽培ベッド１から養液タンク２に養液を戻す経路である。即ち、養液給排経路１０は、オゾン殺菌装置３の陽極側流路３４を通過した後に陰極側流路３５を通過するように構成されている。また、経路１３は、追肥タンク４と養液タンク２とを連結する経路である。
【００７０】
上記第４実施形態の養液栽培設備４００によれば、養液を陽極側流路３４および陰極側流路３５の順序で栽培ベッド１に供給することができる。そして、陽極側流路３４に通液されて電気分解されてｐＨ値が低下した（酸性化）養液を、陰極側流路３５に通液されて電気分解することで、中和することができる。このため、アルカリ性物質などを添加せずに、養液中を中和して栽培ベッド１に栽培された植物の酸による障害を回避することができる。
【００７１】
（第５実施形態）
図７は、本発明の第５実施形態に係る養液栽培設備５００を示すブロック図である。尚、以下の説明においては、上述の第４実施形態に係る養液栽培設備４００と同一の構成部材については同一の符号を付し、その説明を適宜省略する。
【００７２】
第５実施形態と第４実施形態との主要な相違点は、図７に示すように、第５実施形態では、第２養液タンク５０２を備えている点にある。即ち、養液は、養液タンク２からオゾン殺菌装置３の陽極側流路３４を経由した後、第２養液タンク５０２に一旦貯留される。そして、便宜必要に応じてポンプＰ５を使用して、第２養液タンク５０２に貯留された養液を、第２養液タンク５０２からオゾン殺菌装置３の陰極側流路３５を経由して栽培ベッド１に供給し、栽培ベッド１から養液タンク２に養液を戻すことができる構成になっている。
【００７３】
上記第５実施形態の養液栽培設備５００によれば、オゾン殺菌装置３の陽極側流路３４で養液にオゾンを発生させ、電解処理養液を生成した後、第２養液タンク５０２に一旦貯留することができる。そして、適宜、栽培ベッド１への電解処理養液による殺菌が必要になった場合に、第２養液タンク５０２に貯留された電解処理養液を栽培ベッド１に供給することができる。また、陽極側流路３４において、電気分解されてｐＨ値が低下した（酸性化）養液を、陰極側流路３５に通液されて電気分解することで、中和することができる。
【００７４】
（第６実施形態）
図８は、本発明の第６実施形態に係る養液栽培設備６００を示すブロック図である。尚、以下の説明においては、上述の第５実施形態に係る養液栽培設備５００と同一の構成部材については同一の符号を付し、その説明を適宜省略する。
【００７５】
第６実施形態と第５実施形態との主要な相違点は、図８に示すように、第６実施形態では、オゾン殺菌装置３の陰極側流路３５を酸洗浄するためのクエン酸と塩化ナトリウムの混合液を貯留する洗浄剤タンク６０１と、洗浄剤タンク６０１とオゾン殺菌装置３の陰極側流路３５とを連結する洗浄経路６０２と、洗浄経路６０２中にオゾン殺菌装置３の陰極側流路３５から洗浄剤タンク６０１に供給されるクエン酸と塩化ナトリウムの注入を制御するための電磁弁Ｖ２と、経路５０４中にオゾン殺菌装置３の陰極側流路３５から栽培ベッド１に供給される養液の注入を制御するための電磁弁Ｖ１が設けられている点にある。
【００７６】
上記第６実施形態の養液栽培設備６００によれば、オゾン殺菌装置３の陽極側流路３４で養液にオゾンを発生させ、殺菌した後、第２養液タンク５０２に一旦貯留することができる。ここで、第２養液タンク５０２に貯留された養液は、陽極側流路３４において電気分解されてｐＨ値が低下（酸性化）したものとなっている。
【００７７】
そして、電磁弁Ｖ２を閉め電磁弁Ｖ１を開けた状態で、ポンプＰ５により、便宜第２養液タンク５０２に貯留された養液を、陰極側流路３５に供給する。そして、陰極側流路３５において電気分解することで、ｐＨ値が低下（酸性化）した養液を中和する。そして、中和した養液を栽培ベッド１に供給することができる。
【００７８】
なお、所望のタイミングで、電磁弁Ｖ１を閉め電磁弁Ｖ２を開けた状態で、供給ポンプＰ３により、適宜洗浄剤タンク６０１に貯留されたクエン酸と塩化ナトリウムの混合液を、陰極側流路３５に供給する。即ち、陰極側流路３５には、洗浄経路６０２を経由して洗浄剤タンク６０１内のクエン酸と塩化ナトリウムの混合液が供給され、陰極側流路３５内に配置された陰極電極３３を酸洗浄する。
【００７９】
ここで、図９は、オゾン殺菌装置３における電気分解処理の時間経過に伴う養液のｐＨ値及び電解電圧の変化を表すグラフである。横軸は、オゾン殺菌装置３で電気分解してからの時間経過（ｍｉｎ）であり（処理時間）、縦軸は、オゾン殺菌装置３における陽極側流路３４及び陰極側流路３５から排出される養液のｐＨ値とオゾン殺菌装置３の電解電圧（Ｖ）である。電解電流は、２０Ａである。また、陽極側流路３４に供給される養液の供給量は、２リッター／ｍｉｎであり、陰極側流路３５に供給される養液の供給量は、１．７リッター／ｍｉｎである。また、上述したように、陰極側流路３５内の陰極電極３３の酸洗浄には、クエン酸と塩化ナトリウムの混合液を使用している。そして、オゾン殺菌装置３における電気分解処理の継続運転時間は、約２０分間とし、その直後約５分間、陰極側流路３５内の陰極電極３３の酸洗浄を行い、この工程を１２０分間繰り返している。なお、図９において、四角のプロットは、陽極側流路３４から排出された養液のｐＨ値を示し、三角のプロットは、陰極側流路３５から排出された養液のｐＨ値を示し、丸のプロットは、電解電圧を示している。
【００８０】
図９に示すように、陽極側流路３４から排出され、電気分解された電解処理養液のｐＨ値は、約３程度の酸性を示している。この養液を陰極側流路３５に通水し、電気分解すると養液のｐＨ値は、約５〜６程度に中和される。もっとも、上記運転を約２０分間程度継続すると、電解電圧が６Ｖから１２Ｖに上昇する。そして、この電解電圧の上昇に伴い電解効率が低下し、陰極側流路３５内での電気分解による養液の中和性能が低下していくのが分かる（三角のプロット参照）。このとき、上記運転を一旦停止して、陰極側流路３５の陰極電極３３をクエン酸と塩化ナトリウムの混合液を通水して約５分間酸洗浄すると、電解電圧が初期の６Ｖに低下して、電気分解による養液の中和性能が回復する。
【００８１】
このように、オゾン殺菌装置３での２０分間の電気分解処理に伴い陰極側流路３５内に設けられた陰極電極３３に付着した不純物により電解電圧が上昇してしまい長時間の養液栽培設備６００の運転ができない場合がある。そこで、陰極側流路３５を酸洗浄することで陰極電極３３に付着した不純物を溶解除去し、電解電圧を低下させて長時間の養液栽培設備６００の連続運転を可能とすることができる。
【００８２】
（第７実施形態）
図１０は、本発明の第７実施形態に係る養液栽培設備７００を示すブロック図である。尚、以下の説明においては、上述の第１実施形態に係る養液栽培設備１００と同一の構成部材については同一の符号を付し、その説明を適宜省略する。
【００８３】
図１０に示すように、本実施形態に係る養液栽培設備７００は、植物が配置される栽培ベッド１と、栽培ベッド１に供給する養液を貯留する養液タンク２と、養液に所定の電流値の電流を印加して電解処理するオゾン殺菌装置３と、養液タンク２に供給する液肥を貯留する追肥タンク４と、オゾン殺菌装置３を酸洗浄するためのクエン酸を貯留する洗浄剤タンク７１０と、アルカリ性の水を貯留するアルカリ水貯水槽７１１と、水を供給する軟水器７０１とを備えている。そして、これら各装置は、配管などの経路で相互に連結されている。
【００８４】
養液給排経路１０および１１は、それぞれ、養液タンク２と栽培ベッド１とを連結する経路である。養液殺菌経路１２は、養液タンク２とオゾン殺菌装置３とを連結する経路である。そして、養液殺菌経路１２は、オゾン殺菌装置３の陽極側流路３４を通過するように構成されている。また、経路１３は、追肥タンク４と養液タンク２とを連結する経路である。また、洗浄経路１４は、洗浄剤タンク７１０とオゾン殺菌装置３とを連結する経路である。そして、洗浄経路１４は、オゾン殺菌装置３の陰極側流路３５を通過するように構成されている。また、アルカリ水供給経路３０２は、水酸化ナトリウム又は水酸化カリウム等のアルカリ水を貯留するアルカリ水貯水槽７１１と養液タンク２とを連結する経路である。また、経路７０４は、オゾン殺菌装置３の陰極側流路３５とアルカリ水貯水槽７１１とを連結する経路である。また、経路７０５は、オゾン殺菌装置３の陽極側流路３４と栽培ベッド１とを連結する経路である。更に、経路７０２は、軟水器７０１とオゾン殺菌装置３の陽極側流路３４とを連結する経路であり、経路７０３は、軟水器７０１とオゾン殺菌装置３の陰極側流路３５とを連結する経路である。
【００８５】
養液殺菌経路１２には、その上流側から、供給ポンプＰ１、逆止弁４０が取り付けられている。逆止弁４０は、養液殺菌経路１２の養液の逆流を防止するための弁である。また、養液給排経路１０および１１の上流側端部には、養液供給ポンプＰ２が接続され、養液供給ポンプＰ２は、養液タンク２内底部に設置されている。また、洗浄経路１４には、その上流側から、供給ポンプＰ３、逆止弁４１が取り付けられている。逆止弁４１は、洗浄経路１４のクエン酸の逆流を防止するための弁である。また、アルカリ水供給経路３０２の上流側端部には、ポンプＰ４が接続され、ポンプＰ４は、アルカリ水貯水槽７１１内底部に設置されている。
【００８６】
また、経路７０２中には、軟水器７０１から供給される水のオゾン殺菌装置３の陽極側流路３４への注入を制御するための電磁弁Ｖ４が設けられている。経路７０３中には、軟水器７０１から供給される水のオゾン殺菌装置３の陰極側流路３５への注入を制御するための電磁弁Ｖ３が設けられている。養液殺菌経路１２中には、オゾン殺菌装置３の陽極側流路３４で生成された電解処理養液の養液タンク２への注入を制御するための電磁弁Ｖ１０が設けられている。経路７０５中には、オゾン殺菌装置３の陽極側流路３４で生成された電解処理養液の栽培ベッド１への注入を制御するための電磁弁Ｖ１１が設けられている。洗浄経路１４中には、オゾン殺菌装置３の陰極側流路３５から洗浄剤タンク７１０に供給されるクエン酸の注入を制御するための電磁弁Ｖ２が設けられている。経路７０４中には、オゾン殺菌装置３の陰極側流路３５からアルカリ水貯水槽７１１に供給される水（アルカリ性の水）の注入を制御するための電磁弁Ｖ１が設けられている。
【００８７】
上記構成によれば、まず、供給ポンプＰ１による陽極側流路３４への養液の供給を中断した状態で、電磁弁Ｖ４及び電磁弁Ｖ３を開けて陽極側流路３４及び陰極側流路３５に軟水器７０１からの水を供給し電気分解を行い陰極側流路３５において、アルカリ性の水を得る。そして、電磁弁Ｖ２を閉め、電磁弁Ｖ１を開けた状態で、このアルカリ性の水をアルカリ水貯水槽７１１に貯留する。そして、このアルカリ性の水をアルカリ水供給経路３０２を通じて養液タンク２に供給して、養液タンク２内の養液のｐＨ値の調整を行う。このとき、陽極側流路３４内で生成したオゾン水を、栽培ベッド１に供給して殺菌に利用する。なお、電磁弁Ｖ４を閉めて、陽極側流路３４に養液を供給して電気分解による電解処理養液の生成を利用して殺菌をする場合は、陰極側流路３５において酸洗浄をする必要があるため電磁弁Ｖ３及び電磁弁Ｖ１を閉め、電磁弁Ｖ２を開けることにより、軟水器７０１から供給される水を止めて洗浄剤タンク７１０内のクエン酸を供給する。また、電磁弁Ｖ１０及び電磁弁Ｖ１１の開閉を便宜選択することで、電解処理養液を含んだ養液を養液タンク２に戻したり、栽培ベッド１に供給したりすることができる。
【００８８】
上記第７実施形態の養液栽培設備７００によれば、アルカリ水貯水槽７１１に貯水された養液のｐＨ値の調整に使用するアルカリ性物質に関して、陰極側流路３５内での電気分解によって発生するアルカリ水を活用することができる。
【００８９】
なお、上述した実施形態では、殺菌に利用する酸、その酸を含んだ洗浄液にクエン酸、クエン酸とナトリウムの混合液等を示したが、これらに替わり、コハク酸、フマル酸、グルコン酸等、Ｃａ塩の溶解度が高い有機酸や、硫酸ナトリウムや硝酸カリウム等の中性塩を採用しても良い。
【００９０】
以上、本発明の各種実施形態について説明したが、本発明は上述の実施形態に限られるものではなく、特許請求の範囲に記載した限りにおいて様々に変更して実施することができるものである。
【符号の説明】
【００９１】
１  栽培ベッド
２  養液タンク
３  オゾン殺菌装置
４  追肥タンク
５  洗浄剤タンク
１０、１１  養液給排経路
１２  養液殺菌経路
１４  洗浄経路
３４  陽極側流路
３５  陰極側流路
１００、２００、３００、４００、５００、６００、７００  養液栽培設備
【図１】
2011000070.tif 000003
【図２】
2011000070.tif 000004
【図３】
2011000070.tif 000005
【図４】
2011000070.tif 000006
【図５】
2011000070.tif 000007
【図６】
2011000070.tif 000008
【図７】
2011000070.tif 000009
【図８】
2011000070.tif 000010
【図９】
2011000070.tif 000011
【図１０】
2011000070.tif 000012